(57)【要約】【課題】レンズが取り付けられた発光モジュール構造の装置を提供する。【解決手段】レンズが取り付けられた発光モジュール構造の装置は、リフレクター及びレンズを少なくとも備える。リフレクターの内部には少なくとも１つの光源が装設され、レンズはリフレクターの前方に装設され、レンズの屈折原理により光源から発生した大部分の光線がロービーム或いはハイビームの照明効果となる。これにより、前記灯具が特に自動車やバイク等の自動車両のヘッドライトに適用可能になり、灯具の照明効率が大幅に高まるのみならず、さらには、光線が対向車のドライバーの目に照射される事態が回避される。【選択図】図８
2017037836.tif 000002
【特許請求の範囲】
【請求項１】
少なくとも１つの光源と、
前記光源が内部に装設されることで投射光線を発生させ、内表面が光反射面となることで前記光源による投射光線が内部から反射されて射出される少なくとも１つのリフレクターと、
一端面が上述のリフレクターの底部に装設される中空管状支持フレームと、
上述の中空管状支持フレームの他端面に装設され、且つ２面の平面を有すると共に周辺には少なくとも１つの位置決め部材が設置される光透過板で構成され、前記２面の平面の内の１面の平面は上部として設置されると共に少なくとも１面の凸状の円弧状面が光線の射出面として設けられ、前記２面の平面の内の他の１面の平面は底部として設置されると共に前記リフレクターにより反射されて射出された光線の入射面として設置され、且つ底部の平面には少なくとも１面の斜面が設けられるレンズとを少なくとも備えることを特徴とするレンズが取り付けられた発光モジュール構造の装置。
【請求項２】
前記レンズの上部の平面に設けられる凸状の円弧状面の外側には少なくとも１つの曲面が更に設けられることを特徴とする、請求項１に記載のレンズが取り付けられた発光モジュール構造の装置。
【請求項３】
前記レンズの底部の平面に設けられる少なくとも１面の斜面はレンズの横方向中心線の下方の領域の垂直中心線の一側辺に位置され、前記各斜面は平らな表面の傾斜面であることを特徴とする、請求項１に記載のレンズが取り付けられた発光モジュール構造の装置。
【請求項４】
前記レンズの底部の平面に設けられる少なくとも１面の斜面はレンズの横方向中心線の下方の領域の垂直中心線の一側辺に位置され、前記各斜面は円弧状傾斜面であることを特徴とする、請求項１に記載のレンズが取り付けられた発光モジュール構造の装置。
【請求項５】
前記レンズの底部の平面に設けられる少なくとも１面の斜面はレンズの横方向中心線の下方の領域に位置され、前記各斜面は円弧状傾斜面であることを特徴とする、請求項１に記載のレンズが取り付けられた発光モジュール構造の装置。
【請求項６】
前記レンズの底部の平面に設けられる少なくとも１面の斜面はレンズの横方向中心線の上方の領域に位置され、前記各斜面は円弧状傾斜面であることを特徴とする、請求項１に記載のレンズが取り付けられた発光モジュール構造の装置。
【請求項７】
前記中空管状支持フレームは前記リフレクターに装設される一端面の内部に少なくとも１枚の遮光板が更に装設されることを特徴とする、請求項１に記載のレンズが取り付けられた発光モジュール構造の装置。
【請求項８】
前記中空管状支持フレームは前記レンズに装設される一端面の内部に少なくとも１つの位置決め部材が設置され、且つ前記位置決め部材には少なくとも１つの回折格子が可動に装設され、前記回折格子は少なくとも１つの電磁石に連結されることを特徴とする、請求項１に記載のレンズが取り付けられた発光モジュール構造の装置。
【請求項９】
前記回折格子は光透過板で構成され、前記光透過板は２面の平面を少なくとも有し、且つ少なくとも１面の平面には少なくとも１面の円弧状傾斜面が設けられることを特徴とする、請求項８に記載のレンズが取り付けられた発光モジュール構造の装置。
【請求項１０】
少なくとも１つの光源と、
前記光源が内部に装設されることで投射光線を発生させ、内表面が光反射面となることで前記光源による投射光線が内部から反射されて射出される少なくとも１つのリフレクターと、
一端面が上述のリフレクターの底部に装設され、他端面の内部には少なくとも１つの位置決め部材が設置され、前記位置決め部材には少なくとも１つの回折格子が可動に装設され、前記各回折格子は少なくとも１つの電磁石に連結される中空管状支持フレームと、
上述の中空管状支持フレームの他端面に装設され、２面の平面を有する光透過板で構成され、前記２面の平面の内の１面の平面は上部として設置されると共に少なくとも１面の凸状の円弧状面が光線の射出面として設けられ、前記２面の平面の内の他の１面の平面は底部として設置されると共に前記リフレクターから反射されて射出される光線の入射面として設置されるレンズとを少なくとも備えることを特徴とするレンズが取り付けられた発光モジュール構造の装置。
【請求項１１】
前記回折格子は少なくとも２面の平面を有する光透過板で構成され、且つ少なくとも１面の平面には少なくとも１面の円弧状傾斜面が設けられることを特徴とする、請求項１０に記載のレンズが取り付けられた発光モジュール構造の装置。
【請求項１２】
前記レンズの上部に設けられる凸状の円弧状面の外側には少なくとも１つの曲面が更に設けられることを特徴とする、請求項１０に記載のレンズが取り付けられた発光モジュール構造の装置。
【請求項１３】
前記中空管状支持フレームは前記リフレクターに装設される一端面の内部に少なくとも１枚の遮光板が更に装設されることを特徴とする、請求項１０に記載のレンズが取り付けられた発光モジュール構造の装置。
【発明の詳細な説明】
【技術分野】
【０００１】
本発明は、レンズが取り付けられた発光モジュール構造の装置に関し、更に詳しくは、特に自動車やバイクの照明やヘッドライトに適用され、大部分の光線がロービーム或いはハイビームの照明光線となり、全ての光線が照明が必要な領域の範囲に照射されて照明効率が有効的に高まるレンズが取り付けられた発光モジュール構造の装置に関する。
【背景技術】
【０００２】
図１は従来の自動車のヘッドライトに用いられる発光モジュール構造の横断面及び光線経路図を示し、発光モジュール（Ｂ０１）はリフレクター（００１）を有し、上部には光源（００２）が装設され、リフレクター（００１）の底部には中空管状支持フレーム（０１２）の一端面が装設され、中空管状支持フレーム（０１２）の他端面には平凸レンズ（００３）が装設され、遮光板（００７）はリフレクター（００１）の底部の辺縁に装設され、電磁石（００６）は遮光板（００７）に連結されて遮光板（００７）の仰角の角度の制御に用いられる。これにより、ハイビーム及びロービームの切り換え機能を達成させる。灯具がロービームとして作用する場合、電磁石（００６）により遮光板（００７）が高い仰角の位置に制御され、遮光板（００７）により反射光線（００８）中の破線で示す光線の部分が強制的に遮蔽され、実線で示す一部分の反射光線が最終的に平凸レンズ（００３）により屈折されて水平線の下方に向けて照射光線（０１１）が照射されてロービーム効果を達成させる。反対に、灯具がハイビームとして作用する場合、電磁石（００６）により遮光板（００７）が低い仰角の位置に制御され、本来遮蔽される破線で示す光線が灯具の前方に照射されてハイビームの照射光線（０１０）となる。
【発明の概要】
【発明が解決しようとする課題】
【０００３】
しかしながら、前述した従来の灯具技術では、すなわち、従来の灯具の欠点は、リフレクター（００１）の下半部の反射光線（００９）が中空管状支持フレーム（０１２）構造により強制的に遮蔽されるため、灯具の照明が半分の効率しか得られなかった点である。また、遮光板（００７）により多くの光線が強制的に遮蔽された後にロービームの照明光線となるため、ロービーム及びハイビームの照明効率が良好な効果を達成できなかった。そこで、本発明者は上記の欠点が改善可能と考え、鋭意検討を重ねた結果、合理的設計で上記の課題を効果的に改善する本発明の提案に到った。
【０００４】
本発明は、以上の従来技術の課題を解決する為になされたものである。即ち、本発明は、レンズが取り付けられた発光モジュール構造の装置を提供することを主目的とする。すなわち、大部分の光線が有効的な照明光線となり、且つ大部分の光線がロービーム或いはハイビームの照明光線となり、灯具が最良の照明効率を達成できる。
【課題を解決するための手段】
【０００５】
上述した課題を解決し、目的を達成するために、本発明に係るレンズが取り付けられた発光モジュール構造の装置は、リフレクターの内部に装設されることで投射光線を発生させる光源と、一端面が上述のリフレクターの底部に装設される中空管状支持フレームと、上述の中空管状支持フレームの他端面に装設されるレンズとを少なくとも備える。その特徴は、前記レンズは少なくとも２面の平面を有する光透過板で構成され、前記光透過板は円形或いは多辺形であり、周辺には少なくとも１つの位置決め部材が設置される。前記２面の平面の内の１面の平面は上部として設置されると共に少なくとも１面の凸状の円弧状面或いは曲面が光線の射出面として設けられ、前記２面の平面の内の他の１面の平面は底部且つ光線の入射面として設置される。また、前記底部の平面には少なくとも１面の斜面が設けられ、前記各斜面は平らな表面の傾斜面または円弧状傾斜面であり、傾斜方向及び角度は入射光線を屈折させる方向及び角度に基づいて変動される。前記各斜面により入射光線が屈折される角度及び方向は周辺の表面により入射光線が屈折される角度及び方向とは差異を有するため、照明光線が半分が高く半分が低い、或いは半分の光線が強く半分の光線が弱いという特殊な照明効果を達成させる。
【０００６】
本発明の好ましい実施例において、前記光源は電球或いはＬＥＤである。
【０００７】
本発明の好ましい実施例において、前記中空管状支持フレームの外部には少なくとも１つの円錐形の装飾板または警告用発光モジュールが更に設置される。
【０００８】
本発明の好ましい実施例において、前記レンズの上部凸状の円弧状面の外側には環状曲面が更に設置され、レンズの横方向中心線の上方及び下方の凸状の円弧状面の外側には互いに非対称になる半環状曲面が各々設置され、前記曲面は異なる傾斜角度の複数の円弧状傾斜面が連接されることで構成される。
【０００９】
本発明の好ましい実施例において、前記レンズの底部の平面に設けられる少なくとも１面の斜面はレンズの横方向中心線の下方の領域の垂直中心線の一側辺に位置され、前記斜面は平らな表面の傾斜面或いは円弧状傾斜面であり、平らな表面の傾斜面及び円弧状傾斜面により構成される。さらには、前記垂直中心線の他側辺には少なくとも１つの平らな表面の傾斜面或いは円弧状傾斜面が設置され、前記横方向中心線の上方の領域には異なる傾斜角度で連接される複数の円弧状傾斜面が設置される。
【００１０】
本発明の好ましい実施例において、前記レンズの底部の平面に設けられる少なくとも１面の斜面はレンズの横方向中心線の下方の領域に位置され、前記斜面は円弧状傾斜面或いは異なる傾斜角度で連接される複数の円弧状傾斜面であり、レンズの横方向中心線の下方の領域の垂直中心線の二側辺には互いに非対称になる円弧状傾斜面または異なる傾斜角度で連接される複数の円弧状傾斜面が各々設置される。
【００１１】
本発明の好ましい実施例において、前記レンズの底部の平面に設けられる少なくとも１面の斜面はレンズの横方向中心線の上方の領域に位置され、前記斜面は円弧状傾斜面或いは異なる傾斜角度で連接される複数の円弧状傾斜面であり、レンズの横方向中心線の上方の領域の垂直中心線の二側辺には互いに非対称になる円弧状傾斜面または異なる傾斜角度で連接される複数の円弧状傾斜面が各々設置される。
【００１２】
本発明の好ましい実施例において、前記レンズの底部の平面に設けられる少なくとも１面の斜面各はレンズの横方向中心線の上方及び下方の領域に位置され、前記斜面は各々円弧状傾斜面或いは異なる傾斜角度で連接される複数の円弧状傾斜面であり、垂直中心線の二側辺には互いに非対称になる円弧状傾斜面または異なる傾斜角度で連接される複数の円弧状傾斜面が各々設置される。
【００１３】
本発明の好ましい実施例において、前記中空管状支持フレームが前記リフレクターに結合される一端面の内部には遮光板が更に設置される。前記遮光板は固定式装置であり、可動に装設されると共に電磁石に連結され、前記遮光板は、好ましくは、垂直中心線の二側辺は不等高構造である。
【００１４】
本発明の好ましい実施例において、前記中空管状支持フレームは前記レンズに装置される一端面の内部に少なくとも１つの位置決め部材が設置され、且つ前記位置決め部材には少なくとも１つの回折格子が可動に装設され、前記各回折格子は少なくとも１つの電磁石に連結される。前記回折格子は２面の平面を有する光透過板で構成され、且つ少なくとも１つの平面には円弧状傾斜面或いは異なる傾斜角度で連接される複数の円弧状傾斜面が設置され、前記回折格子の垂直中心線の二側辺には互いに非対称になる円弧状傾斜面または異なる傾斜角度で連接される複数の円弧状傾斜面が各々設置される。前記各円弧状傾斜面の最高点は前記回折格子の垂直中心線に位置される。
【００１５】
本発明の好ましい実施例において、本発明はレンズが取り付けられた発光モジュール構造の装置を更に提供し、リフレクターの内部に装設されることで投射光線を発生させる光源と、一端面が上述のリフレクターの底部に装設され、他端面がレンズに装設される中空管状支持フレームとを少なくとも備える。前記中空管状支持フレームの内部には少なくとも１つの位置決め部材が設置され、前記位置決め部材には少なくとも１つの回折格子が可動に装設され、前記各回折格子は少なくとも１つの電磁石に連結される。前記レンズは２面の平面を有する光透過板で構成され、前記光透過板は円形或いは多辺形であり、前記２面の平面の内の１面の平面は上部として設置されると共に少なくとも１面の凸状の円弧状面または曲面が光線の射出面として設置され、前記２面の平面の内の他の１面の平面は底部且つ光線の入射面として設置される。
【００１６】
本発明の好ましい実施例において、前記レンズの上部凸状の円弧状面の外側には環状曲面が更に設けられ、レンズの横方向中心線の上方及び下方の凸状の円弧状面の外側には互いに非対称になる半環状曲面が各々設置される。前記曲面は異なる傾斜角度の複数の円弧状傾斜面が連接されることで構成される。
【００１７】
本発明の好ましい実施例において、前記回折格子は２面の平面を有する光透過板で構成され、且つ少なくとも１つの平面には円弧状傾斜面或いは異なる傾斜角度で連接される複数の円弧状傾斜面が設置され、前記回折格子の垂直中心線の二側辺には互いに非対称になる円弧状傾斜面または異なる傾斜角度で連接される複数の円弧状傾斜面が各々設置される。前記各円弧状傾斜面の最高点は前記回折格子の垂直中心線に位置される。
【発明の効果】
【００１８】
本発明によれば、特に自動車やバイク等の自動車両のヘッドライトに適用され、大部分の光線がロービーム或いはハイビームの照明光線となる。従来の灯具ではロービームの場合に半分の光線しか有効な照明光線にならないのとは異なり、特殊な照明の予期する効果を確実に達成させる。
【図面の簡単な説明】
【００１９】
【図１】従来の発光モジュール構造及び光線経路を概略図である。
【図２Ａ】本発明のレンズ基本構成の構造を示す外観斜視図である。
【図２Ｂ】本発明のレンズ基本構成の構造を示す側面図である。
【図２Ｃ】本発明のレンズ基本構成の構造を示す底面図である。
【図３Ａ】本発明の第１実施例によるレンズを示す実施例図である。
【図３Ｂ】本発明の第１実施例によるレンズを示す実施例図である。
【図３Ｃ】本発明の第２実施例によるレンズを示す実施例図である。
【図３Ｄ】本発明の第２実施例によるレンズを示す実施例図である。
【図３Ｅ】本発明の第３実施例によるレンズを示す実施例図である。
【図３Ｆ】本発明の第３実施例によるレンズを示す実施例図である。
【図４Ａ】本発明の第４実施例によるレンズを示す実施例図である。
【図４Ｂ】本発明の第４実施例によるレンズを示す実施例図である。
【図４Ｃ】本発明の第５実施例によるレンズを示す実施例図である。
【図４Ｄ】本発明の第５実施例によるレンズを示す実施例図である。
【図４Ｅ】本発明の第６実施例によるレンズを示す実施例図である。
【図４Ｆ】本発明の第６実施例によるレンズを示す実施例図である。
【図５Ａ】本発明の第７実施例によるレンズを示す実施例図である。
【図５Ｂ】本発明の第７実施例によるレンズを示す実施例図である。
【図５Ｃ】本発明の第８実施例によるレンズを示す実施例図である。
【図５Ｄ】本発明の第８実施例によるレンズを示す実施例図である。
【図６】本発明の第１実施例による発光モジュールを示す実施例図である。
【図７】本発明の第２実施例による発光モジュールを示す実施例図である。
【図８】本発明の第３実施例による発光モジュールを示す実施例図である。
【図９Ａ】本発明の第１実施例による回折格子を示す実施例図である。
【図９Ｂ】本発明の第１実施例による回折格子を示す実施例図である。
【図９Ｃ】本発明の第１実施例による回折格子を示す実施例図である。
【図９Ｄ】本発明の第２実施例による回折格子を示す実施例図である。
【図９Ｅ】本発明の第２実施例による回折格子を示す実施例図である。
【図９Ｆ】本発明の第２実施例による回折格子を示す実施例図である。
【図１０Ａ】本発明の第９実施例によるレンズを示す実施例図である。
【図１０Ｂ】本発明の第９実施例によるレンズを示す実施例図である。
【図１０Ｃ】本発明の第９実施例によるレンズを示す実施例図である。
【図１０Ｄ】本発明の第１０実施例によるレンズを示す実施例図である。
【図１０Ｅ】本発明の第１０実施例によるレンズを示す実施例図である。
【図１０Ｆ】本発明の第１０実施例によるレンズを示す実施例図である。
【図１１Ａ】本発明の第１１実施例によるレンズを示す実施例図である。
【図１１Ｂ】本発明の第１１実施例によるレンズを示す実施例図である。
【図１１Ｃ】本発明の第１１実施例によるレンズを示す実施例図である。
【図１１Ｄ】本発明の第１２実施例によるレンズを示す実施例図である。
【図１１Ｅ】本発明の第１２実施例によるレンズを示す実施例図である。
【図１１Ｆ】本発明の第１２実施例によるレンズを示す実施例図である。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２１】
図２Ａは本発明のレンズ基本構成の構造を示す外観斜視図であり、図２Ｂは本発明のレンズ基本構成の構造を示す側面図であり、図２Ｃは本発明のレンズ基本構成の構造を示す底面図である。各レンズは円形の光透過板（２０１）で構成され、前記光透過板（２０１）は２面の垂直平面（２０２）（２０３）を有し、２面の平面の内の１面の平面（２０２）は底部であり且つ光線の入射面として設けられ、２面の平面の内の他の１面の平面（２０３）は上部であると共に少なくとも１面の凸状の円弧状面（２０４）が光線の射出面として設置され、または少なくとも１面の曲面が光線の射出面として設置される。前記光透過板（２０１）の周辺には切り欠き等の少なくとも１つの位置決め部材（２０５）が設置される。以下のレンズの複数の実施例の説明では、その基本構成の構造を一つ一つ細かくは説明しない。
【実施例】
【００２２】
（レンズ：第１実施例）
図３Ａ乃至図３Ｃは本発明の第１実施例によるレンズを示す実施例図である。レンズ（Ａ０１）の底部の平面（３０１）は横方向中心線（３０２）の下方の領域の垂直中心線（３０３）の左側辺に平らな表面の傾斜面（３０４）が設置される。製品の実際の運用では、垂直中心線（３０３）の右側辺或いは横方向中心線（３０２）の上方の領域に少なくとも１つの平らな表面の傾斜面または円弧状傾斜面が更に設置される。
【００２３】
（レンズ：第２実施例）
また、図３Ｃ及び図３Ｄは本発明の第２実施例によるレンズを示す実施例図である。レンズ（Ａ０２）の底部の平面（３０５）は横方向中心線（３０６）の下方の領域の垂直中心線（３０７）の左側辺に複数の平らな表面の傾斜面が設けられる。複数の平らな表面の傾斜面（３０８）〜（３１２）は各々異なる傾斜角度となり、且つ複数の平らな表面の傾斜面（３１３）は同じ傾斜角度となる。
【００２４】
（レンズ：第３実施例）
図３Ｅ及び図３Ｆは本発明の第３実施例によるレンズを示す実施例図である。レンズ（Ａ０３）の底部の平面（３１４）は横方向中心線（３１５）の下方の領域の垂直中心線（３１６）の左側辺に円弧状傾斜面（３１７）が設置される。製品の実際の運用では、異なる傾斜角度で連接される複数の円弧状傾斜面であり、この円弧状傾斜面（３１７）は円弧状傾斜面と呼ばれ、一般的に称される弧状面ではなく、レンズ（Ａ０３）の下方の辺縁に近接される円弧面の一端（３１８）は底部の平面（３１４）の表面に位置され、横方向中心線（３１５）に位置される前記円弧面の一端（３１９）は底部の平面（３１４）の表面の内側に陥没され、底部の平面（３１４）の表面については傾斜角度を有する弧状面が円弧状傾斜面と呼称される。なお、本発明の前記各平らな表面の傾斜面或いは円弧状傾斜面は共に入射光線が屈折された後の角度及び方向に基づいてその傾斜方向及び傾斜角度が変動される。図３Ａ及び図３Ｂの実施例図によると、平らな表面の傾斜面（３０４）はレンズ（Ａ０１）の下方の辺縁から横方向中心線（３０２）の箇所にかけて偏向されて底部の平面（３０１）の内側が傾斜される。製品の実際の運用では、横方向中心線（３０２）から下方の辺縁にかけて偏向されて底部の平面（３０１）の内側が傾斜され、或いは垂直中心線（３０３）から左側の辺縁にかけて偏向して底部の平面（３０１）の内側が傾斜される。
【００２５】
（レンズ：第４実施例）
図４Ａ及び図４Ｂは本発明の第４実施例によるレンズを示す実施例図である。レンズ（Ａ０４）の底部の平面（４０１）は横方向中心線（４０２）の下方の領域の垂直中心線（４０３）の二側辺に円弧状傾斜面（４０４）（４０５）が各々設置される。製品の実際の運用では、各々異なる傾斜角度で連接される複数の円弧状傾斜面である。
【００２６】
（レンズ：第５実施例）
図４Ｃ及び図４Ｄは本発明の第５実施例によるレンズを示す実施例図である。レンズ（Ａ０５）の底部の平面（４０６）は横方向中心線（４０７）の上方の領域に異なる傾斜角度で連接される複数の円弧状傾斜面（４０８）〜（４１３）が設置され、且つ円弧状傾斜面（４０８）から円弧状傾斜面（４１３）にかけて偏向されて底部の平面（４０６）の内側が傾斜される。
【００２７】
（レンズ：第６実施例）
さらに、図４Ｅ及び図４Ｆは本発明の第６実施例によるレンズを示す実施例図である。レンズ（Ａ０６）の底部の平面（４１４）は横方向中心線（４１５）の下方の領域に円弧状傾斜面（４１６）が設けられる。製品の実際の運用では、異なる傾斜角度で連接される複数の円弧状傾斜面であり、横方向中心線（４１５）の上方の領域にも異なる傾斜角度で連接される複数の円弧状傾斜面（４１７）〜（４２２）が設けられて上述のレンズ（Ａ０５）の複数の円弧状傾斜面（４０８）〜（４１３）と同じ構造が構成される。
【００２８】
（レンズ：第７実施例）
図５Ａ及び図５Ｂは本発明の第７実施例によるレンズを示す実施例図である。レンズ（Ａ０７）の底部の平面（５０１）は横方向中心線（５０２）の下方の領域の垂直中心線（５０３）の左側辺に複数の平らな表面の傾斜面（５０５）が設置されて図３Ｃ及び図３Ｄのレンズ（Ａ０２）の複数の平らな表面の傾斜面（３０８）〜（３１３）と同じ構造が構成され、垂直中心線（５０３）の右側辺には円弧状傾斜面（５０４）が更に設置される。
【００２９】
（レンズ：第８実施例）
図５Ｃ及び図５Ｄは本発明の第８実施例によるレンズを示す実施例図である。レンズ（Ａ０８）の底部の平面（５０６）は横方向中心線（５０７）の下方の領域の垂直中心線（５０８）の左側辺に平らな表面の傾斜面（５０９）が設置され、横方向中心線（５０７）の上方の領域の垂直中心線（５０８）の二側辺に更に互いに連接される複数の円弧状傾斜面（５１０）〜（５２１）が各々設置される。図４Ｃ及び図４Ｄのレンズ（Ａ０５）の複数の円弧状傾斜面（４０８）〜（４１３）と同じ構造が構成される。
【００３０】
（発光モジュール：第１実施例）
図６は本発明の第１実施例による発光モジュールを示す実施例図である。
発光モジュール（Ｃ０１）は内部に少なくとも１つの光源（６０４）が装設されるリフレクター（６０１）を有する。前記光源（６０４）は電球或いは発光ダイオード等の各種発光体であり、リフレクター（６０１）の底部には中空管状支持フレーム（６０２）の一端面が連結され、中空管状支持フレーム（６０２）の他端面には本発明に係る構造のレンズ（６０３）が装設される。発光モジュール（Ｃ０１）の光源（６０４）が発生させる光線（６０５）（６０６）が最終的にレンズ（６０３）を経て屈折されて射出され、光線が同時にロービームまたはハイビームの照明となり、最も好ましい照明効率を達成させる。
【００３１】
（発光モジュール：第２実施例）
図７は本発明の第２実施例による発光モジュールを示す実施例図である。発光モジュール（Ｃ０２）はリフレクター（７０１）を有し、内部には少なくとも２つのＬＥＤ光源（７０４）（７０５）が装設され、底部は中空管状支持フレーム（７０２）の一端面に連結され、中空管状支持フレーム（７０２）の他端面には本発明のレンズ（７０３）が装設され、中空管状支持フレーム（７０２）の内部にはリフレクター（７０１）の底部の箇所に遮光板（７０７）が更に装設され、固定式或いは可動式で電磁石に連結される。遮光板（７０７）は、好ましくは、垂直中心線の二側辺が不等高構造になり、灯具のロービームの照明領域に一側辺が高く一側辺が低い明暗境界線が形成される。照明光線が対向車のドライバーの目に照射される事態が回避され、且つロービームが最も好ましい照明効率を達成させる。
【００３２】
（発光モジュール：第３実施例）
図８は本発明の第３実施例による発光モジュールを示す実施例図である。発光モジュール（Ｃ０３）はリフレクター（８０１）を有し、内部には少なくとも１つのＬＥＤ光源（８０４）が装設され、底部には中空管状支持フレーム（８０２）の一端面が連結され、中空管状支持フレーム（８０２）の他端面にはレンズ（８０３）が装設される。前記レンズ（８０３）は本発明の何れか１つの実施例のレンズ或いは従来のの平凸レンズであり、中空管状支持フレーム（８０２）の内部にはレンズ（８０３）の後方に位置決め部材（８０５）が更に設置され、且つ前記位置決め部材（８０５）には可動式の回折格子（８０６）が装設され、前記回折格子（８０６）は電磁石（８０７）の伸縮ロッド（８０８）に連結される。電磁石（８０７）が作動されて回折格子（８０６）の角度が改変され、前記回折格子（８０６）によりリフレクター（８０１）からの反射光線がレンズ（８０３）に進入する入射角度が改変されることでハイビーム及びロービームの切り換え効果が達成される。製品の実際の運用では、中空管状支持フレーム（８０２）の内部且つリフレクター（８０１）の底部の箇所に図７の前記の遮光板（７０７）が更に装設される。
【００３３】
（回折格子：第１実施例）
図９Ａ乃至図９Ｃは本発明の第１実施例によるレンズが取り付けられた発光モジュール構造の装置における回折格子を示す実施例図である。回折格子（Ｄ０１）は２面の平面（９０２）（９０３）を有する光透過板（９０１）で構成され、且つ少なくとも２面の平面の内の１面の平面（９０２）の中央領域には円弧状傾斜面（９０４）が設置される。円弧状傾斜面（９０４）の最高点は回折格子（Ｄ０１）の垂直中心線（９０５）に位置される。製品の実際の運用では、異なる傾斜角度で連接される複数の円弧状傾斜面が設置される。
【００３４】
（回折格子：第２実施例）
図９Ｄ乃至図９Ｆは本発明の第２実施例によるレンズが取り付けられた発光モジュール構造の装置における回折格子を示す実施例図である。回折格子（Ｄ０２）は２面の平面（９０６）（９０７）を有する光透過板（９０８）で構成され、且つ少なくとも２面の平面の内の１面の平面（９０６）の表面の垂直中心線（９１２）の二側辺には互いに非対称になる円弧状傾斜面（９０９）（９１０）が各々設置され、２面の円弧状傾斜面（９０９）（９１０）の最高点は回折格子（Ｄ０２）の垂直中心線（９１３）に位置される。製品の実際の運用では、異なる傾斜角度で連接される複数の円弧状傾斜面が各々設置される。
【００３５】
（レンズ：第９実施例）
図１０Ａ乃至図１０Ｃは本発明の第９実施例によるレンズを示す実施例図である。レンズ（Ａ０９）の底部の平面（１００１）の構造は前述の複数の本発明に係るレンズの底部の構造であり、上部の平面（１００２）の中央部には凸状の円弧状面（１００３）及び光線の射出面として設置される環状曲面（１００４）を有する。本実施例の図によると、曲面（１００４）は凸状の円弧状面（１００３）の外側に位置される。
【００３６】
（レンズ：第１０実施例）
図１０Ｄ乃至図１０Ｆは本発明の第９実施例によるレンズを示す実施例図である。レンズ（Ａ１０）の底部の平面（１００５）の構造は前述の複数の本発明に係るレンズの底部の構造であり、上部の平面（１００６）の中央部には凸状の円弧状面（１００７）及び光線の射出面として設けられる２面の半環状曲面（１００８）（１００９）を有する。本実施例の図によれば、２面の曲面（１００８）（１００９）はレンズ（Ａ１０）の横方向中心線（１０１０）の上方及び下方の凸状の円弧状面（１００７）の外側に各々位置される。上述の複数の本発明に係るレンズ（Ａ０１）〜（Ａ１０）に図示するように、各レンズの底部の平面に設けられる少なくとも１面の斜面は共に底部の平面の表面の内側に位置され、前記斜面が底部の平面の表面の外側或いは内部の外側に設置される場合、２種類の構造では入射光線が屈折された後の結果が完全に同じになるため、同等の効果を有する代替の構造に属する。
【００３７】
（レンズ：第１１実施例）
図１１Ａ乃至図１１Ｃは本発明の第１１実施例によるレンズを示す実施例図である。レンズ（Ａ１１）の底部は平面（１１０１）であり、上部の平面（１１０２）の中央部には凸状の円弧状面（１１０３）及び光線の射出面として設置される環状曲面（１１０４）を有する。本実施例の図によれば、曲面（１１０４）が凸状の円弧状面（１１０３）の外側に位置される。
【００３８】
（レンズ：第１２実施例）
図１１Ｄ乃至図１１Ｆは本発明の第１２実施例によるレンズを示す実施例図である。レンズ（Ａ１２）の底部は平面（１１０５）であり、上部の平面（１１０６）の中央部には凸状の円弧状面（１１０７）及び光線の射出面として設置される２面の半環状曲面（１１０８）（１１０９）を有する。本実施例の図によると、２面の曲面（１１０８）（１１０９）は横方向中心線（１１１１）の上方及び下方の凸状の円弧状面（１１０７）の外側に各々位置され、周辺には切り欠きとなる少なくとも１つの位置決め部材（１１１０）がに各々位置されて定位の方向が正確になる機能を提供する。
【００３９】
結論として、本発明に係るレンズが取り付けられた発光モジュール構造の装置は、特に自動車やバイク等の自動車両のヘッドライトに適用され、大部分の光線がロービーム或いはハイビームの照明光線となる。従来の灯具では、ロービームの場合には半分の光線しか有効な照明光線とならなかったのに比べ、特殊な照明の予期する効果を確実に達成させる。
【００４０】
上述の実施例は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００４１】
Ｂ０１  発光モジュール
００１  リフレクター
００２  光源
０１２  中空管状支持フレーム
００３  平凸レンズ
００７  遮光板
００６  電磁石
００８、  ００９  反射光線
０１１、  ０１０  照射光線
２０１  光透過板
２０２、  ２０３  平面
２０４  凸状の円弧状面
２０５  位置決め部材
Ａ０１、  Ａ０２、  Ａ０３  レンズ
３０１、  ３０５、  ３１４  底部の平面
３０２、３０６、３１５  横方向中心線
３０３、３０７、３１６  垂直中心線
３０４、３０８〜３１２、３１３  平らな表面の傾斜面
３１７  円弧状傾斜面
３１８、３１９  円弧面の一端
Ａ０４、Ａ０５、Ａ０６  レンズ
４０１、４０６、４１４  底部の平面
４０２、４０７、４１５  横方向中心線
４０３  垂直中心線
４０４、４０５、４０８〜４１３、４１６、４１７〜４２２  円弧状傾斜面
Ａ０７、Ａ０８  レンズ
５０１、５０６  底部の平面
５０２、５０７  横方向中心線
５０３、５０８  垂直中心線
５０５、５０９  平らな表面の傾斜面
５０４、５１０〜５２１  円弧状傾斜面
Ｃ０１  発光モジュール
６０１  リフレクター
６０４  光源
６０２  中空管状支持フレーム
６０３  レンズ
６０５、６０６  光線
Ｃ０２  発光モジュール
７０１  リフレクター
７０４、７０５  光源
７０２  中空管状支持フレーム
７０３  レンズ
７０７  遮光板
Ｃ０３  発光モジュール
８０１  リフレクター
８０４  光源
８０２  中空管状支持フレーム
８０３  レンズ
８０５  位置決め部材
８０６  回折格子
８０７  電磁石
８０８  伸縮ロッド
Ｄ０１、Ｄ０２  回折格子
９０２、９０３、９０６、９０７  平面
９０１、９０８  光透過板
９０４、９０９、９１０  円弧状傾斜面
９０５、９１２、９１３  垂直中心線
Ａ０９、Ａ１０  レンズ
１００１、１００５  底部の平面
１００２、１００６  上部の平面
１００３、１００７  凸状の円弧状面
１００４、１００８、１００９  曲面
１０１０  横方向中心線
Ａ１１、Ａ１２  レンズ
１１０１、１１０２、１１０５、１１０６  平面
１１０３、１１０７  凸状の円弧状面
１１０４、１１０８、１１０９  曲面
１１１１  横方向中心線
１１１０  位置決め部材
【図１】
2017037836.tif 000003
【図２Ａ】
2017037836.tif 000004
【図２Ｂ】
2017037836.tif 000005
【図２Ｃ】
2017037836.tif 000006
【図３Ａ】
2017037836.tif 000007
【図３Ｂ】
2017037836.tif 000008
【図３Ｃ】
2017037836.tif 000009
【図３Ｄ】
2017037836.tif 000010
【図３Ｅ】
2017037836.tif 000011
【図３Ｆ】
2017037836.tif 000012
【図４Ａ】
2017037836.tif 000013
【図４Ｂ】
2017037836.tif 000014
【図４Ｃ】
2017037836.tif 000015
【図４Ｄ】
2017037836.tif 000016
【図４Ｅ】
2017037836.tif 000017
【図４Ｆ】
2017037836.tif 000018
【図５Ａ】
2017037836.tif 000019
【図５Ｂ】
2017037836.tif 000020
【図５Ｃ】
2017037836.tif 000021
【図５Ｄ】
2017037836.tif 000022
【図６】
2017037836.tif 000023
【図７】
2017037836.tif 000024
【図８】
2017037836.tif 000025
【図９Ａ】
2017037836.tif 000026
【図９Ｂ】
2017037836.tif 000027
【図９Ｃ】
2017037836.tif 000028
【図９Ｄ】
2017037836.tif 000029
【図９Ｅ】
2017037836.tif 000030
【図９Ｆ】
2017037836.tif 000031
【図１０Ａ】
2017037836.tif 000032
【図１０Ｂ】
2017037836.tif 000033
【図１０Ｃ】
2017037836.tif 000034
【図１０Ｄ】
2017037836.tif 000035
【図１０Ｅ】
2017037836.tif 000036
【図１０Ｆ】
2017037836.tif 000037
【図１１Ａ】
2017037836.tif 000038
【図１１Ｂ】
2017037836.tif 000039
【図１１Ｃ】
2017037836.tif 000040
【図１１Ｄ】
2017037836.tif 000041
【図１１Ｅ】
2017037836.tif 000042
【図１１Ｆ】
2017037836.tif 000043